(57)【要約】高分子膜を構造に連結するためのシステム及び方法が、本明細書において記載される。ある場合では、高分子膜を構造に連結するシステム及び方法が、屋根ふき構造の一部を形成する高分子膜上への構造の取付けに適用可能である。特に、本明細書において記載される方法及び装置は、太陽電池のような外部の構造の熱可塑性膜のような高分子膜への固定に適用可能である。【選択図】図１Ａ
2013504703.tif 000002
【特許請求の範囲】
【請求項１】
取付けプレートと；第１の高分子膜と；該取付けプレートを該第１の高分子膜に連結する第１の接着媒体と；を含むシステム。
【請求項２】
前記第１の接着媒体が、熱可塑性被覆、接着剤又はキャリア・テープのうちの一つである、請求項１のシステム。
【請求項３】
前記第１の接着媒体が、前記取付けプレート又は前記第１の高分子膜を形成する材料の少なくとも一つである、請求項１のシステム。
【請求項４】
前記取付けプレートが突出部を含む、請求項１のシステム。
【請求項５】
前記突出部が構造に連結されるために適応する、請求項４のシステム。
【請求項６】
前記突出部が少なくとも構造の一部を形成する、請求項４のシステム。
【請求項７】
第２の高分子膜と；第２の接着媒体と；をさらに含み、前記第１の接着媒体が前記取付けプレートの第１の表面の間で配置され、該第２の接着媒体が、該取付けプレートの第２の表面と該第２の高分子膜との間に配置された、請求項１のシステム。
【請求項８】
前記第２の接着媒体が前記取付けプレート又は前記第２の高分子膜を形成する材料の少なくとも一つである、請求項７のシステム。
【請求項９】
前記取付けプレートが前記第１の高分子膜と前記第２の高分子膜に挟まれる、請求項７のシステム。
【請求項１０】
締結具と；前記取付けプレートの反対側の前記第２の高分子膜の側に配置された基礎構造と；をさらに含み、該締結具は、該取付けプレートを該基礎構造に連結するために該取付けプレートを通って延びる、請求項７のシステム。
【請求項１１】
前記第２の高分子部材が前記取付けプレートの端を越えて延長する周囲の端を含み、該第２の高分子部材の該周囲の端は、第３の接着媒体で前記第１の高分子部材に連結される、請求項７の取付けシステム。
【請求項１２】
第２の高分子膜と；前記第１の高分子膜と該第２の高分子膜との間で配置された第２の接着媒体と；をさらに含む、請求項１のシステム。
【請求項１３】
前記第２の接着媒体が熱可塑性被覆、接着剤又はキャリア・テープのうちの一つを含む、請求項１２のシステム。
【請求項１４】
前記第２の接着媒体が前記第１の高分子膜又は前記第２の高分子膜を形成する材料の少なくとも一つを含む、請求項１２のシステム。
【請求項１５】
前記第１の接着媒体で第１の熱可塑性膜に連結される取付けブラケットを含む、屋根構造上へ取付け位置を提供するための取付けシステムであって、該第１の熱可塑性膜は該屋根構造の一部を形成する、システム。
【請求項１６】
前記第１の接着媒体が熱可塑性被覆、接着剤又はキャリア・テープのうちの一つである、請求項１５の取付けシステム。
【請求項１７】
前記第１の接着媒体が前記取付けブラケット又は前記第１の熱可塑性膜を形成する材料の少なくとも一つを含む、請求項１５の取付けシステム。
【請求項１８】
前記取付けブラケットの一部にかぶさり、前記第２の接着媒体によってそれへ連結される第２の熱可塑性膜をさらに含み、前記第１の熱可塑性膜及び該第２の熱可塑性膜はその間に該取付けブラケットを挟む、請求項１５の取付けシステム。
【請求項１９】
前記第２の接着媒体が熱可塑性被覆、接着剤又はキャリア・テープのうちの一つである、請求項１８の取付けシステム。
【請求項２０】
前記第２の接着媒体が前記第１の高分子膜、前記第２の高分子膜、又は、前記取付けブラケットを形成する材料の少なくとも一つである、請求項１８の取付けシステム。
【請求項２１】
熱可塑性、接着剤又はキャリア・テープのうちの一つによる前記第１の高分子膜の外面へのブラケットの接着を含む、高分子膜に連結される取付け位置を提供する方法であって、該第１の高分子膜が、該ブラケットの第１の表面の少なくとの一部で接着される、方法。
【請求項２２】
前記ブラケットの接着は、該ブラケットの前記第１の高分子膜への誘電的溶接、振動溶接、音波溶接、溶剤結合、加熱結合の一つによる該高分子膜への該ブラケットの少なく一部の接着を含む、請求項２１の方法。
【請求項２３】
前記第２の高分子膜の、前記第１の表面の反対側の前記ブラケットの第２の表面の少なくとも一部への接着であって、該第２の高分子膜は、熱可塑性、接着剤又はキャリア・テープのうちの一つにより該第２の表面の少なくとも一部に接着されるような接着と；前記第１の高分子膜の一部への該第２の高分子膜の一部の接着と；をさらに含む、請求項２１の方法。
【請求項２４】
前記第２の高分子膜の、前記第１の表面の反対側の前記ブラケットの第２の表面の少なくとも一部への接着と、前記第１の高分子膜の一部への該第２の高分子膜の一部の接着とが、誘電的溶接、振動溶接、音波溶接、溶剤結合又は加熱結合の一つを含む、請求項２３の方法。
【請求項２５】
前記第１の高分子膜が屋根構造の外面の膜を形成する、請求項２１の方法。
【発明の詳細な説明】
【技術分野】
【０００１】
本発明は、物体を高分子膜に取り付けるための方法及びシステムに関するものである。
【背景技術】
【０００２】
高分子膜が表面に配置されるものには、様々な用途が存在する。例えば、屋根材として高分子膜を提供することは、望ましい。つまり、高分子膜は、構造を環境から保護するため、屋根のような建築構造物の外側表面に適用される。
【図面の簡単な説明】
【０００３】
【図１Ａ】図１Ａは、取付けプレートを高分子膜に取り付けるための例示的なシステムを示す。
【図１Ａ】図１Ｂは、取付けプレートを高分子膜に取り付けるための例示的なシステムを示す。
【図１Ａ】図１Ｃは、取付けプレートを高分子膜に取り付けるための例示的なシステムを示す。
【図１Ｄ】図１Ｄは、例示的な取付けプレートの断面図を示す。
【図２Ａ】図２Ａは、接着剤で高分子膜に固定される取付けプレートを含む例示的な取付けシステムの断面図である。
【図２Ｂ】図２Ｂは、その対向する側に接着剤を含むテープを有する例示的な取付けシステムの断面の分解立体図を示す。
【図２Ｃ】図２Ｃは、さらなる例示的な取付けシステムの断面図を示す。
【図３】図３は、高分子膜に連結される例示的な取付けアセンブリを示す。
【図４】図４は、高分子膜に連結される他の例示的な取付けアセンブリを示す。
【図５】図５は、図４に示される取付けアセンブリの下面図である。
【図６Ａ】図６Ａは、例示的な取付けプレートの様々な図を示す。
【図６Ｂ】図６Ｂは、例示的な取付けプレートの様々な図を示す。
【図６Ｃ】図６Ｃは、例示的な取付けプレートの様々な図を示す。
【図６Ｄ】図６Ｄは、例示的な取付けプレートの様々な図を示す。
【図６Ｅ】図６Ｅは、例示的な取付けプレートの様々な図を示す。
【図６Ｆ】図６Ｆは、例示的な取付けプレートの様々な図を示す。
【図７Ａ】図７Ａは、例示的な取付けプレートの様々な図を示す。
【図７Ｂ】図７Ｂは、例示的な取付けプレートの様々な図を示す。
【図７Ｃ】図７Ｃは、例示的な取付けプレートの様々な図を示す。
【図７Ｄ】図７Ｄは、例示的な取付けプレートの様々な図を示す。
【図７Ｅ】図７Ｅは、例示的な取付けプレートの様々な図を示す。
【図８Ａ】図８Ａは、例示的な取付けプレートの様々な図を示す。
【図８Ｂ】図８Ｂは、例示的な取付けプレートの様々な図を示す。
【図８Ｃ】図８Ｃは、例示的な取付けプレートの様々な図を示す。
【図８Ｄ】図８Ｄは、例示的な取付けプレートの様々な図を示す。
【図９】図９は、さらなる例示的な取付けシステムの断面図を示す。
【図１０】図１０は、図９において示される例示的な取付けプレートの断面図を示す。
【図１１】図１１は、他の例示的な取付けシステムを示す。
【図１２】図１２は、図１１に示される例示的な取付けプレートの側面図である。
【図１３】図１３は、いくつかある特徴の中で特に絶縁部材を含むさらなる例示的な取付けシステムである。
【図１４】図１４は、高分子膜に隆起部材を接着するための例示的なシステムである。
【発明を実施するための形態】
【０００４】
本発明は、高分子膜に物体を取り付ける又は別途付着させるための方法とシステムを記載する。例えば、ある場合では、本発明は、建築構造物の屋根のすべて又は一部を覆うために利用される高分子膜に物体を付着させるための方法とシステムを記載する。場合によっては、高分子膜は熱可塑性の高分子膜（「熱可塑性膜」）を含み、他の例において、高分子膜は、熱硬化性樹脂の高分子膜（「熱硬化性樹脂膜」）を含む。付着する例示的な物体は、太陽電池、空調構成要素（例えば空調又は暖房構成要素）、電気通信装置（例えばアンテナ、衛星アンテナその他）、又は、他の所望の物体を含む。一以上の太陽電池を屋根構造に固定するための記載されたシステム及び方法を利用することで税金に関する利点が提供される。例えば、屋根構造に付着せずに単に屋根に配置されるだけでは太陽電池に利用できないような屋根構造に付着する太陽電池を有することにより、税金に関する利点が存在する。したがって、いくつかの実施態様において、本明細書において記載されるシステム及び方法は、物体を屋根構造に付着させ、太陽電池の場合、それに関連する税金に関する利点をユーザが享受することを可能にする。
【０００５】
他の実施態様において、記載された方法及び装置は、構造の一部を形成している高分子膜に物体を付着させるために利用される。さらに、いくつかの実施態様が熱可塑性膜に関して記載される一方、熱硬化性樹脂膜もまた適用可能であり、その逆も同じである。一般に、記載された方法及び装置は、他のいかなる適切な用途と同様に、屋根ふき、防水処理、接地裏当て、池のライニング、テント作成、布張り用途、空気生成技術、弾力的な塑性成形（例えば弾力的なプラスチックフィルム）、硬質プラスチック形成を含む用途に適用可能である。
【０００６】
図１Ａは、物体を高分子膜に取り付けるためのシステムの例示的な実施態様の斜視図を示す。図１Ａは、高分子膜（相互に用いられ「膜」と呼ばれる）１０、及び、取付けプレート２０を示す。ある場合では、高分子膜１０は、熱可塑性膜である。例示的な熱可塑性膜は、ポリ塩化ビニル（ＰＶＣ）、熱可塑性オレフィン（ＴＰＯ）、ケトン・エチレン・エステル（ＫＥＥ）、ニトリル・ブタジエン・ポリマー（ＮＢＰ）ならびに他の適切な熱可塑性物質を含む。他の例において、熱硬化性樹脂膜も使われる。例えば、例示的な熱硬化性樹脂膜は、クロロスルホン化ポリエチレン（ＣＳＰＥ）のように時間とともに熱硬化性樹脂膜に変形する熱可塑性膜を含む他のいかなる適切な熱硬化性樹脂膜と同様にエチレン・プロピレン・ジエン・モノマー（ＥＰＤＭ）から形成される膜を含む。
【０００７】
高分子膜１０は、屋根構造のような構造４０に固定される。高分子膜１０は、いかなる公知の又は適切な方法で構造４０に固定される。さらに、いくつかの例で、取付けプレート２０は、例えば鋼鉄、亜鉛メッキ鋼、アルミニウム、チタン、又は、他の所望の又は適切な金属から、完全に又は部分的に形成される。加えて、取付けプレート２０は、耐候性構造にしてもしなくてもよい。他の例において、取付けプレート２０は、例えばガラス、プラスチック、セラミック、合成材料のようなその他の材料又は他のいかなる材料からも形成される。いくつかの用途が高分子膜１０を必要としないと認識されるべきである；そのような場合、取付けプレート２０は、高分子膜１０を用いずに、直接構造４０に接着又は付着する。
【０００８】
示すように、取付けプレート２０は、構造を固定するために使われる、そこから延長している突出部３０を有する。突出部３０は、高分子膜１０への損害又は変質することなく、構造３５のような構造の着脱を可能にする。例えば、ある場合には、他のいかなる適切な接続メカニズムも使われるが、突出部３０は、構造３５とのねじ接続を提供する。他の実施態様において、取付けプレート２０は、構造と一体である。さらに他の実施態様において、取付けプレート２０は、突出部３０は省かれる。代わりに、取付けプレート２０は、それへ対応している構造を着脱するメカニズムを含む。例えば、取付けプレート２０は、一以上の構造を受け入れるためのインターロック機構を含む。例示的な構造は、一以上の太陽電池、空気処理装置（例えば空調又は暖房設備）、一以上のアンテナ、それの取付け構造、柵又は他の所望の構造を含む。
【０００９】
さらに他の実施態様で、例示的な取付けプレート２０は、取付けプレート２０に付着する又は別途連結される構造において提供される対応しているねじ部と嵌合的に係合するためのねじ部を含む。例えば、図１Ｂは、嵌合ねじを有している突出部を受け入れるための溶接したナット２２を含む取付けプレート２０を示す。代わりとして、図１Ｃに示すように、取付けプレート２０は、突出部を受け入れるために、そこに形成されるねじ部２４を有する。
【００１０】
図１Ｄは、突出部３０が取付けプレート２０において形成される開口３２に挿入可能な別々の部分である他の例示的な取付けプレート２０の断面図を示す。さらに、突出部３０の頭部３４は、取付けプレート２０において形成されるポケット３６において保持される。他の例では、頭部３４は、取付けプレート２０において形成されるポケットにおいて、保持されない。いくつかの実施態様で、突出部３０は、開口３２に挿入可能な根角ボルトであり、開口３２と突出部３０との間の接点は、突出部３０の取付けプレート２０に関する回転を防ぐ。さらに、単一サイズの開口３２を有する取付けプレート２０は、変化する軸の長さ、幅及び／又は直径を有する突出部３０を受け入れることができる。
【００１１】
取付けプレート２０は、多数の方法で高分子膜１０に付着する。図２Ａ−２Ｃは、高分子膜１０に付着する取付けプレート２０のいくつかの断面図を示す。例えば、図２Ａは、その間に配置された接着剤５０のような結合剤で膜１０に付着する取付けプレート２０を示す。代わりに、取付けプレート２０を固定するための結合剤は、図２Ｂに示すように、その対向する側に提供される、接着剤７０、８０を有するキャリア・テープ６０であってもよい。いくつかの実施態様において、キャリア・テープ６０は、取り外し可能な保護用フィルム又は裏板６５を有する。ある場合には、接着剤７０及び接着剤８０は同じ接着剤であり、他の例において、接着剤７０、８０は異なる。例えば、接着剤７０、８０は、付着される材料に基づいて選ばれる。例えば、鋼鉄から形成される取付けプレート２０では、接着剤７０は鋼鉄を付着するために選ばれ、ＰＶＣから形成される膜１０では、接着剤８０はＰＶＣに付着するために選ばれる。ある場合には、キャリア・テープ６０は、発泡体ベースのテープである。キャリア・テープ６０は、取付けプレート２０を膜１０に固定するために用いられる。一以上のテープストリップ又はシートは、取付けプレート２０を固定するために用いられる。さらに、キャリア・テープ６０は、取付けプレート２０の形状に適合するように、特別注文で成形及び／又は形成される。例えば、キャリア・テープ６０は、突出部又は他の地形上の形状のような取付けプレート２０の一以上の幾何学的な特徴に対応するように特別に適合される。
【００１２】
接着剤５０、７０及び８０の複数の選択は可能であり、適切な接着剤の選択は多くの場合、試験の間の所望の設計の破損に依存している。ある場合では、アセンブリ内の他の構成要素への損害を防ぐように選ばれた重量の閾値で外れるため、選択された接着剤によって提供される接着が望ましい。他の例では、その構成要素が互いに損害を与えずに分離しないほど強い接着剤結合が望ましい。加えて、選択された接着剤はキャリア・テープに適用され、キャリア・テープ及び選択された接着剤は、選ばれた重さの閾値及び厚さで設計されることも可能である。接着剤５０、６０及び７０は、非架橋結合ブチル接着剤と同様に架橋結合を含む。キャリア・テープ６０と同様に接着剤５０、７０及び８０の包括的なリストは、以下の通りである：３Ｍ  ＶＨＢ  ４９４１Ｆ、３Ｍ  ＶＨＢ  ４９４１、３Ｍ  ＶＨＢ  ４９３２、３Ｍ  ＶＨＢ  ４９５２、３Ｍ  ＶＨＢ  ５９２５、３Ｍ  ＶＨＢ  ５９５２、３Ｍ  ＶＨＢ  ５９６２、３Ｍ  目詰めテープ、３Ｍ  ポリウレタン  ５６０、３Ｍ  ｎハイブリッドシーラント  ７６０、３Ｍ  ＤＰ  １９０、３Ｍ  ＤＰ  １２５、及び、３Ｍ  １０９９のスコッチウェルド接着剤：すべてが３Ｍ  Ｃｅｎｔｅｒ, Ｓｔ．Ｐａｕｌ，  ＭＮ  ５５１４４の３Ｍによって製造されたものである。加えて、Ｃｏｖｉｎｇｔｏｎ，  ＫＹ ４１０１２のＡｓｈｌａｎｄ社によって製造されたアシュランドアロセット １９３０は、適切な接着剤の他の例である。さらに、Ｍａｄｉｓｏｎ  Ｈｅｉｇｈｔｓ， Ｍｌ  ４８０７１のＳｉｋａ社によって製造されたＳｉｋａＬａｓｔｏｍｅｒ−６８は、適切なキャリア・テープの例である。以下の会社は、上記に挙げたものに類似した又は競合する接着剤を製造する：Ｃａｒｌｉｓｌｅ，ＰＡのＣａｒｌｉｓｌｅ  Ｓｙｎｔｅｃ社、Ｗｙｌｉｅ，ＴＸのＣａｒｌｉｓｌｅ  Ｈａｒｄｃａｓｔ社、及び、Ｉｎｄｉａｎａｐｏｌｉｓ，  ＩＮのＦｉｒｅｓｔｏｎｅ  Ｂｕｉｌｄｉｎｇ  Ｐｒｏｄｕｃｔｓ社。上記の接着剤及びキャリア・テープは、接着剤のみ、又は、キャリア・テープのみ、又は、キャリア・テープと接着剤との任意の組合せとして識別されると認識されるべきである。
【００１３】
図２Ｃは、結合剤が、高分子膜１０と接触して配置される取付けプレート２０の一以上の表面に適用される熱可塑性材料９０の被覆である他の例示的な実施態様を示す。例えば、高分子膜１０は、熱可塑性膜である。取付けプレート２０は高分子膜１０上の所望の場所に位置し、被覆９０は、取付けプレート２０と高分子膜１０との間の結合を形成するために加熱される。ある場合では、被覆９０は、例えば熱誘導溶接機又はホットアイロンで取付けプレート２０を加熱することによって加熱される。他の例において、エネルギーは、例えば音波溶接でより直接被覆９０に適用される。例えば、取付けプレート２０は、例えば誘電的又は音波又は振動での溶接、溶剤結合、加熱結合（誘導加熱、赤外線加熱、熱風加熱、又はホットアイロン加熱を用いて）、上記の任意の組合せ、又は、他の任意の適切な方法によって被覆９０を使用して貼り付けられる。
【００１４】
本明細書において他の実施態様に記載される熱可塑性被覆と同様に熱可塑性被覆９０は、様々な形状において表されると認識されるべきである。そのような形状は、固体、液体、又は、本明細書において開示される実施態様に適する位相材料のいかなる混合物も含むが、これらに限定されるものではない。
【００１５】
システムを取り付けるさらなる例は、図３に示される。図３は、結合剤１００で高分子膜１０（例えば熱可塑性膜）に固定される取付けプレート２０を示す。様々な実施態様によれば、例えば、結合剤１００は、取付けプレート２０の接触面に適用される熱可塑性材料の被覆である。熱可塑性被覆で、取付けプレート２０は高分子膜１０上の所望の場所に位置し、取付けプレート２０を高分子膜１０に結合するために加熱される。あるいは、上記した接着剤及びキャリア・テープのようないかなる接着剤又はキャリア・テープも取付けプレート２０を膜１０に固定するために用いられる。取付けプレート２０及び高分子膜１０の組合せは、取付けアセンブリ１１０と考えられる。
【００１６】
また図３を参照すると、取付けアセンブリ１１０は、高分子膜１２０に付着する。本実施態様では、高分子膜１２０は熱可塑性膜である。しかしながら他の例において、高分子膜１２０は、熱硬化性樹脂膜である。取付けアセンブリ１１０は、多数の方法で高分子膜１２０に付着する。例えば、取付けアセンブリ１１０の高分子膜１０は、高分子膜１０への取付けプレート２０の接着に関して一以上の上記した方法を用いて高分子膜１２０に連結される。他の例において、キャリア・テープ及び／又は接着剤（それぞれ上記に記載されたキャリア・テープ及び接着剤）のような接着剤１３０が用いられる。接着剤１３０は、様々な接着材料又は様々な接着部材を含む他の接着媒体であると認識されるべきである。上記に類似して、キャリア・テープは、一以上のストリップ又はシートのような一部において適用される。さらに、また上記した様に、キャリア・テープは取付けアセンブリ１１０の形状に対応するように形成される。
【００１７】
図４及び５は、高分子膜１２０に取付けアセンブリ１１０を固定するための代わりの実施態様を示す。示すように、取付けアセンブリ１１０の中心部分１４０は、例えば上記したキャリア・テープ及び接着剤のキャリア・テープ又は接着剤の一以上の部分のような接着材１４５で、高分子膜１２０に固定される。周囲の部分１５０の周りで他の取付け方法又は材料が使われる。例えば、周囲の部分１５０に沿った一以上の場所での熱可塑性材料１５５の被覆は、周囲の部分１５０を高分子膜１２０に固定するために用いられる。熱可塑性材料１５５の被覆は、一以上の上記した方法を用いて接着される。代わりに、一以上の接着剤又はキャリア・テープが、周囲の部分１５０に使われる。例えば、周囲の部分１５０に使用される接着材料は、取付けアセンブリ１１０をさらに固定するために又は防水処理材料として作用する。
【００１８】
いくつかの例において、熱可塑性材料の被覆が同じ又は類似した他の熱可塑性膜に互いに結合するために用いられることに留意するべきである。他の例では、熱可塑性材料は省かれる。例えば、いくつかの熱可塑性膜は、接着材料を用いずに一以上の上記の溶接技術を用いて接合される。一方、熱可塑性膜の被覆は、他の熱硬化性樹脂膜に熱可塑性膜又は熱硬化性樹脂膜を接着することができない。そのような場合には、接着剤又はキャリア・テープのような接着剤が、そのような異なる材料を互いに接着するために用いられる。
【００１９】
ある場合では、高分子膜１２０は、例えば上記した一以上の熱可塑性物質のように熱可塑性膜１０を形成する熱可塑性物質と同じ又は類似した熱可塑性物質である。しかしながら、それぞれの熱可塑性膜１０及び熱可塑性膜１２０を形成している熱可塑性が異なる一方で、熱可塑性材料の使用の有無に関わらずまだ接着可能である。ある場合では、熱可塑性膜１２０は、屋根構造の外側表面を形成する。しかしながら、その記載はそれほど制限されず、本発明の記載は、いかなる所望の用途もの熱可塑性膜に適用可能である。
【００２０】
取付けプレート２０は、いかなる所望の形状であってもよい。例えば、取付けプレートは、円形、矩形、四角形、細長い又は他のいかなるサイズ又は形状であってもよい。例示的な取付けプレートは、図６−８において示される。図６Ａ−６Ｅは、上記の類似した方法で議論したように突出部の頭部を捕らえるために用いられる中心空洞２２と同様にその中で形成される複数の同心の隆起２１を有する円形の取付けプレート２０の様々な図を示す。また、上記した様に、中心空洞２２は異なるサイズの突出部を受け入れる。突出部は、開口部２３を通って延長する。
【００２１】
図７Ａ−Ｅを参照すると、例示的な取付けプレート２０はまた、突出部の頭部を受け入れるために空洞２２を含む。突出部は、空洞２２の壁において形成される開口２３を通って延長する。図８Ａ−Ｄは、他の例示的な取付けプレート２０の様々な図である。取付けプレート２０は、空洞２２及び開口２３とともにその中で形成される様々な隆起２４を含む。また空洞２２は、開口２３を通って延びる突出部の遠方端部を捕らえるために用いられる。取付けプレート２０はまた、それの周辺部の周りで形成される開口２５を含む。
【００２２】
さらに例えば、発明の範囲内の他のものと共に図６Ａ−８Ｄに示される取付けプレート２０は、空洞２２、開口２３及び／又はそれの組合せは、取付けプレート２０と関連した突出部の回転を防ぎ、一方で異なるサイズの突出部を受け入れることができる。加えて、取付けプレート２０の他の態様と同様に隆起２４、開口２３、空洞２２のそれぞれのサイズは、いかなる所望のサイズにも変えられる。
【００２３】
他の例示的な取付けシステムは、取付けプレート２０が第１の高分子膜５００と第２の高分子膜５１０との間で配置されている図９に示される。締結具５２０は、取付けプレート２０、第２の高分子膜５１０を通って、基礎構造５３０に延びる。第１の高分子膜５１０は、取付けプレート２０の第１の表面５４０にかぶさり、突出部３０がそれを通って延長する開口５５０を含む。接着材料５６０は、取付けプレート２０に第１の高分子膜５００を付着するために用いられる。
【００２４】
ある場合では、接着材料５６０は、それを通って締結具５２０が延長する取付けプレート２０において形成された突出部３０と開口５７０との間の第１の表面５４０の一部に適用される熱可塑性材料の被覆である。またさらに、いくつかの例では、接着材料５６０は適用され、第１の高分子膜５００は、一以上の製造プロセスの間それとともに取付けプレート２０に連結される。すなわち、取付けプレート２０への接着材料５６０での第１の高分子膜５００の接着は、例えば製造設備のように現場から離れて実行されてもよい。他の例において、第１の高分子膜５００は、現場で接着材料５６０により取付けプレート２０に接着される。接着材料５６０は熱可塑性材料の被覆であり、一以上の上記した方法において二つの構成要素を結合するために使用される。取付けプレート２０への第１の高分子膜５００の付着に加えて、接着材料５６０はまた、開口５７０を通って基礎構造５３０に作成された開口５５０を液体が貫通するのを防ぐ又は本質的に防ぐ封止を形成する。
【００２５】
接着材料５８０はまた、取付けプレート２０の第１の表面５４０に適用される。ある場合では、接着材料５８０はまた、例えば、締結具５２０が取付けプレート２０を基礎構造５３０に固定するために用いられた後、第１の高分子膜５００を取付けプレート２０に固定するために用いられる。締結具５２０が適用された後に接着材料５８０を利用することで、締結具５７０のために第１の高分子膜５００を穿刺する必要性は回避される。したがって、いくつかの例では、接着材料５６０は、第１の高分子膜５００の一部のみを取付けプレート２０に固定し、一方で、第１の高分子膜５００を穿刺する必要性なく開口５７０を通じた締結具５２０の通過を可能にするために用いられる。接着材料５８０は、第１の高分子膜５００を取付けプレート２０に固定するためにその後で利用され、それによってまた封止を提供する。第１の高分子膜５００はまた、接着材料５９０で第２の高分子膜５１０に固定される。また、被覆又は接着材料は、高分子膜がそのような材料なしで接合されるところでは省かれる。例えば、膜は、上記した一以上の接着技術を用いて接合され得る熱可塑性膜である。そのような場合には、接着材料５９０は省かれる。
【００２６】
接着材料６００はまた、取付けプレート２０を第２の高分子膜５１０に固定するために用いられる。接着材料５６０、５８０、５９０及び６００は、基礎構造５３０への流体及び／又は破片の通過を防ぐ又は本質的に減少させるのを補助するために取付けプレート２０周辺で封止を形成するために協働する。接着材料５６０、５８０、５９０及び６００の一以上は、熱可塑性材料の被覆であり、上記した一以上の技術を用いて結合を形成するために使用される。ある場合では、接着材料５６０、５８０及び５９０は、例えば熱可塑性材料６１０の被覆と同じ材料であり、図１０の例に示すように取付けプレート２０に適用される。代わりに、上記した様に、接着材料５６０、５８０、５９０及び６００の一以上はキャリア・テープ又は接着剤であってもよい。さらに他の実施態様において、接着材料５６０、５８０、５９０及び／又は６００の一以上は、省かれる。例えば、いくつかの実施態様において、高分子膜５００、５１０は、接着材料を用いずに上記した一以上の接合技術を用いて互いに直接固定される。またさらに、取付けプレート２０はまた、上記した一以上の技術を用いた接着剤を用いずに高分子膜５００及び／又は高分子膜５１０の一以上に接合可能な材料から形成される。そのような場合、接着材料５６０、５８０及び／又は６００の一以上は、省かれる。
【００２７】
突出部３０は省かれているが、突出部３０を含む取付けプレート２０が示される。代わりに、取付けプレート２０は、固定的に他の物体に付着してもよい。またさらに、取付けプレート２０は、他の物体を選択的に付着させ、分離するメカニズムを有する。
【００２８】
図１１及び１２は、一以上の取付けプレート７１０が構造７２０に固定される他の例示的なシステム７００を示す。例えば構造７２０は、構造７２０が制限されないが、上記で識別された一以上の構造又は他の適切な構造のような他の構造を取り囲む屋根構造である。ある場合では、取付けプレート７１０は締結具で構造７２０に連結されるが、取付けプレート７１０は他の方法で付着されてもよい。高分子膜７２５は、例えば高分子膜７２５のロールを広げることによって取付けプレート７１０上に適用される。例示的な取付けプレート７１０は、図１２に示される。取付けプレート７１０は、突出部７３０を含む。さらにいくつかの実施態様で、突出部７３０は、高分子膜７２５の穿刺に適応された貫通部分７４０を含む。また、突出部７３０の一部は、構造を取付けプレートに付着させるために用いられる固定部分７３５を含む。例えば、いくつかの例において、固定部分７３５はねじ部である。しかしながら、他の固定メカニズムが使われてもよい。
【００２９】
一以上の取付けプレート７１０は、例えばアレイ又は任意の構成において構造７２０に固定される。取付けプレート７１０は、締結具及び／又は（例えば、熱可塑性材料、キャリア・テープ、接着剤、その他の被覆を使用して）本明細書において記載される一以上の技術で固定される。構造７２０に固定される取付けプレート７１０で、高分子膜７２５は覆われる。取付けプレート７２５は、例えば貫通部分７４０で高分子膜７２５に穿刺することにより高分子膜７２５を通って延びるように作成される。他の実施態様において、高分子膜７２５は、突出部７３０がそれを通って延長することができる予め形成した開口を有する。高分子膜７２５は、上記した一以上の技術を用いて取付けプレート７１０に固定される。例えば、取付けプレート７１０は、接着材料７２７で高分子膜７２５に連結される。接着材料７２７は上記で議論された一以上の材料であり、連結は、上記した一以上の方法を用いて形成される。
【００３０】
図１３は、基礎構造９２０に連結される取付けプレート９１０を含む他の例示的なシステム９００を示す。他の使用の中でとりわけ、システム９００は、屋根ふきの用途に適用可能である。取付けプレート９１０は、締結具９３０によって付着するものとして示される。しかしながら、他の技術は、取付けプレート９１０を基礎構造９２０に固定するために用いられてもよい。取付けプレート９１０は、突出部９４０及び貫通部分９５０を含む。さらにいくつかの実施態様で、突出部９４０は、固定部分９５５を含む。加えて、突出部９４０が取付けプレート９１０の一体の部分として示される一方、突出部９４０は、固定メカニズムを用いて取付けプレート９１０に付着されてもよい。例えば、いくつかの実施態様で、突出部９４０は、ねじ接続を経て取付けプレート９１０に付着される。絶縁部材９６０は、基礎構造９２０の上に配置されている。取付け部材９７０は、例えば固定部分９５０を係合することによって突出部９４０に固定される。いくつかの実施態様において、固定部分９５０及び取付け部材９７０は螺合を有するが、他の取付けインタフェースが使われてもよい。高分子膜９６５は絶縁部材９６０にかぶさり、接着材料９８０で取付け部材９７０に接着される。いくつかの実施態様において、接着材料９８０は、取付け部材９７０に適用される熱可塑性材料の被覆である。他の実施態様において、キャリア・テープ及び／又は接着剤は、高分子膜９６５を取付け部材９７０に連結するために用いられる。
【００３１】
加えて、記載された方法及び装置はまた、高分子膜への損害を減少することができる。例えば、物体が結合していないが接触している場合、破片は物体と高分子膜との間に挟まり、その二つの間の相対的な動作により、破片は高分子膜上の研摩材として作用する。時間とともに、孔、強打又は他の損傷が高分子膜に生じ、下にある構造を例えば水分、風その他の環境に露出させてしまう。この露出は、構造に損傷を引き起こす可能性がある。しかしながら、本発明は、これらの欠点を回避する方法及び装置を記載する。
【００３２】
その上、本明細書において記載されるいくつかの方法及び装置はまた、一以上の物体の高分子膜を突き通すことのない高分子膜への固定を提供する。その結果として、物体は、膜を通過する水分又は例えば昆虫、破片その他のような他の物体の経路を提供することなく高分子膜に付着したままになる。また、これは穴があけられてないカバーが非常に望ましい防水処理のカバー用途における独自の価値を有し得る。
【００３３】
他の例示的なシステム１０００は、図１４において示される。システム１０００は、高分子膜１０１０、隆起部材１０２０及び接着部材１０３０を含む。いくつかの実施態様で、高分子膜１０１０は、例えば外部膜のような屋根構造の一部を形成する。隆起部材１０２０は、接着部材１０３０によって高分子膜１０１０に連結される。ある場合では、接着部材１０３０は、上記したキャリア・テープに類似した両面のキャリア・テープである。いくつかの実施態様において、キャリア・テープの側上の接着剤は、高分子膜１０１０及び／又は隆起部材１０２０を形成している材料により結合を提供するために選ばれる。他の実施態様において、接着部材１０３０は、高分子膜１０１０を隆起部材１０２０に付着するのに選ばれる接着剤である。ある場合では、接着剤は、上記した接着剤に類似した接着剤である。
【００３４】
接着部材１０３０は、隆起部材１０２０の基部１０５０において形成されるチャネル１０４０を占める。弁１０５５はまた、チャネル１０４０に流体及びその他の材料の侵入を防ぐのを補助するために隆起部材１０２０において形成される。接着部材１０３０の利点は、隆起部材１０２０を高分子膜１０１０に連結する一方で、接着部材１０３０が高分子膜１０１０及び／又は隆起部材１０２０の耐力強度未満の結合強さを有することである。その結果として、接着部材１０３０は、隆起部材１０２０上の剪断負荷が接着部材１０３０の強度を上回る時、隆起部材１０２０を高分子膜１０１０から分離して撓む。したがって、接着部材１０３０は、隆起部材１０２０又は高分子膜１０１０を傷つけずに撓む。例えば、高分子膜１０１０及び隆起部材１０２０が屋根構造の外部を形成する用途において、例えば、屋根構造上に形成される氷床によって生じる隆起部材１０２０上の剪断力は、氷床が屋根の傾斜を滑り降りるので、高分子膜１０１０を引き裂かない。むしろ、剪断力は、単に隆起部材１０２０を高分子膜１０１０から切り離すだけである。他の実施態様において、接着部材１０３０は、隆起部材１０２０及び／又は高分子膜１０１０の一以上より大きい耐力強度を有する。
【００３５】
本発明はいくつかの実施態様で記載されたが、様々な変更及び改造が当業者に提案される。添付の請求の範囲及びそれらの同等物の範囲内にあるものとして、本発明はそのような変更及び改造を包含する意図を有する。
【図１Ａ】
2013504703.tif 000003
【図１Ｂ】
2013504703.tif 000004
【図１Ｃ】
2013504703.tif 000005
【図１Ｄ】
2013504703.tif 000006
【図２Ａ】
2013504703.tif 000007
【図２Ｂ】
2013504703.tif 000008
【図２Ｃ】
2013504703.tif 000009
【図３】
2013504703.tif 000010
【図４】
2013504703.tif 000011
【図５】
2013504703.tif 000012
【図６Ａ】
2013504703.tif 000013
【図６Ｂ】
2013504703.tif 000014
【図６Ｃ】
2013504703.tif 000015
【図６Ｄ】
2013504703.tif 000016
【図６Ｅ】
2013504703.tif 000017
【図６Ｆ】
2013504703.tif 000018
【図７Ａ】
2013504703.tif 000019
【図７Ｂ】
2013504703.tif 000020
【図７Ｃ】
2013504703.tif 000021
【図７Ｄ】
2013504703.tif 000022
【図７Ｅ】
2013504703.tif 000023
【図８Ａ】
2013504703.tif 000024
【図８Ｂ】
2013504703.tif 000025
2013504703.tif 000026
2013504703.tif 000027
【図８Ｄ】
2013504703.tif 000028
【図９】
2013504703.tif 000029
【図１０】
2013504703.tif 000030
【図１１】
2013504703.tif 000031
【図１２】
2013504703.tif 000032
【図１３】
2013504703.tif 000033
【図１４】
2013504703.tif 000034